(57)【要約】【課題】コンテナを傾斜させて内容物を排出する際にバルクライナー１の破損が発生しにくいコンテナ輸送方法を提供する。【解決手段】輸送すべき内容物を内包するバルクライナー１とコンテナ床面の間に敷材２を敷設し、バルクライナー１を収容して輸送するコンテナ輸送方法において、バルクライナー１と敷材２の静摩擦係数、並びに、敷材２とコンテナ床面の静摩擦係数が０.４０以上であることを特徴とするコンテナ輸送方法。【選択図】図１
2019043635.tif 000002
【特許請求の範囲】
【請求項１】
輸送すべき内容物を内包するバルクライナーとコンテナ床面の間に敷材を敷設し、該バルクライナーを収容して輸送するコンテナ輸送方法において、該バルクライナーと該敷材の静摩擦係数、並びに、該敷材と該コンテナ床面の静摩擦係数が０.４０以上であることを特徴とするコンテナ輸送方法。
【請求項２】
バルクライナーを構成するフィルムが、スリップ剤及びアンチブロッキング剤を含まない請求項１に記載のコンテナ輸送方法。
【請求項３】
敷材が、ポリエチレンシートである請求項１又は２に記載の方法。
【請求項４】
バルクライナーが内包する内容物が、粉体又はペレットである請求項１〜３の何れかに記載の方法。
【請求項５】
バルクライナーが内包する内容物が、粉体である請求項４に記載の方法。
【請求項６】
粉体が、高純度テレフタル酸（ＰＴＡ）である請求項５に記載の方法。
【請求項７】
内容物を内包するバルクライナーとコンテナ床面の間に敷材が敷設され、該バルクライナーが収容されているコンテナを傾斜させることにより、該バルクライナーの排出口から内容物を排出する排出方法において、該バルクライナーと該敷材の静摩擦係数、並びに、該敷材と該コンテナ床面の静摩擦係数が０.４０以上であることを特徴とする内容物の排出方法。
【請求項８】
内容物を内包するバルクライナーと、該バルクライナーとコンテナ床面の間に敷設された敷材とを内部に収納するコンテナユニットにおいて、該バルクライナーと該敷材の静摩擦係数、並びに、該敷材と該コンテナ床面の静摩擦係数が０.４０以上であることを特徴とするコンテナユニット。
【発明の詳細な説明】
【技術分野】
【０００１】
本発明は、例えば化学物質、合成樹脂、食品類等の粉末状又はペレット状の物質のコンテナ輸送方法に関し、より詳しくはコンテナを傾斜させて粉末状又はペレット状の物質を排出する際にバルクライナーの破損が発生しにくいコンテナ輸送方法に関する。
【背景技術】
【０００２】
粉末状又はペレット状の化学物質、合成樹脂、食品類（砂糖、穀物等）を輸送する方法の一例として、それらを樹脂フィルムからなるバルクライナーに入れ、このバルクライナーをコンテナに収容して輸送する、いわゆるコンテナ輸送方法がある。バルクライナーは、通常、合成樹脂のインフレーション成形法により製造される。
【０００３】
コンテナから粉末状又はペレット状の内容物を排出する方法としては、例えばコンテナを傾斜させることにより、バルクライナーの排出口から内容物を排出する方法がある。また、この排出の際に粉末状又はペレット状の内容物が速やかに排出されるように、バルクライナーを構成する樹脂フィルムにスリップ剤やアンチブロッキング剤を配合することも知られている。
【０００４】
特許文献１には、特定のポリエチレンフィルムからなるバルクライナー用フィルムが開示されている。そして、このポリエチレンフィルムには、スリップ剤を適宜配合しても良いことが説明されている。
【０００５】
特許文献２には、スリップ剤を配合した合成樹脂製フィルムから製造した輸送コンテナの内袋（バルクライナー）が開示されている。そして、スリップ剤を配合することによって傾斜角３０度未満で傾斜させるだけで内部に充填したペレットを全量排出できると説明されている。
【０００６】
特許文献３には、内部底面にも剛性の高い底敷きシートが敷設されたコンテナ用内袋（バルクライナー）が開示されている。そして、この底敷きシートによって内袋の耐久性及び排出作業性が向上すると説明されている。
【先行技術文献】
【特許文献】
【０００７】
【特許文献１】特開平１０−３２９８４４号公報
【特許文献２】特開平６−４１３２７号公報
【特許文献３】特開２００９−２４１９３６号公報
【発明の概要】
【発明が解決しようとする課題】
【０００８】
しかしながら、スリップ剤やアンチブロッキング剤を配合した樹脂フィルムからなるバルクライナーは、コンテナを傾斜させて内容物を排出する際に破損してしまう場合がある。本発明は、そのような課題を解決するために為されたものである。すなわち本発明の目的は、コンテナを傾斜させて内容物を排出する際にバルクライナーの破損が発生しにくいコンテナ輸送方法を提供することにある。
【課題を解決するための手段】
【０００９】
本発明者らは上記課題を解決すべく鋭意検討した結果、バルクライナーと敷材の静摩擦係数及び敷材とコンテナ床面の静摩擦係数を特定の範囲にすることが非常に効果的であることを見出し、本発明を完成するに至った。すなわち本発明は、以下の事項により特定される。
【００１０】
［１］輸送すべき内容物を内包するバルクライナーとコンテナ床面の間に敷材を敷設し、該バルクライナーを収容して輸送するコンテナ輸送方法において、該バルクライナーと該敷材の静摩擦係数、並びに、該敷材と該コンテナ床面の静摩擦係数が０.４０以上であることを特徴とするコンテナ輸送方法。
【００１１】
［２］バルクライナーを構成するフィルムが、スリップ剤及びアンチブロッキング剤を含まない［１］に記載のコンテナ輸送方法。
【００１２】
［３］敷材が、ポリエチレンシートである［１］又は［２］に記載の方法。
【００１３】
［４］バルクライナーが内包する内容物が、粉体又はペレットである［１］〜［３］の何れかに記載の方法。
【００１４】
［５］バルクライナーが内包する内容物が、粉体である［４］に記載の方法。
【００１５】
［６］粉体が、高純度テレフタル酸（ＰＴＡ）である［５］に記載の方法。
【００１６】
［７］内容物を内包するバルクライナーとコンテナ床面の間に敷材が敷設され、該バルクライナーが収容されているコンテナを傾斜させることにより、該バルクライナーの排出口から内容物を排出する排出方法において、該バルクライナーと該敷材の静摩擦係数、並びに、該敷材と該コンテナ床面の静摩擦係数が０.４０以上であることを特徴とする内容物の排出方法。
【００１７】
［８］内容物を内包するバルクライナーと、該バルクライナーとコンテナ床面の間に敷設された敷材とを内部に収納するコンテナユニットにおいて、該バルクライナーと該敷材の静摩擦係数、並びに、該敷材と該コンテナ床面の静摩擦係数が０.４０以上であることを特徴とするコンテナユニット。
【発明の効果】
【００１８】
本発明によれば、コンテナを傾斜させて内容物を排出する際にバルクライナーの破損が発生しにくいコンテナ輸送方法を提供できる。
【図面の簡単な説明】
【００１９】
【図１】本発明に用いるバルクライナー及び敷材の一実施形態を示す斜視図である。
【図２】本発明の作用効果を説明する為の模式的断面図である。
【発明を実施するための形態】
【００２０】
図１は、本発明に用いるバルクライナー及び敷材の一実施形態を示す斜視図である。図１に示す実施形態においては、バルクライナー１の底部全面に敷材２が敷設されている。また、バルクライナー１の片側側面には、内容物を注入する為の注入口３、内容物を排出する為の排出口４、排気口５、補強布６が設けられている。このバルクライナー１は、ガゼット折りされた樹脂フィルムを密封して構成したものである。
【００２１】
図２は、本発明の作用効果を説明する為の模式的断面図である。コンテナ７を傾斜させた際、バルクライナー１にかかる荷重には、図２に示すように斜面下向きの引下げ荷重Ａと、斜面上向きの耐荷重Ｂがある。引下げ荷重Ａは、バルクライナー１内の内容物８が斜面下向きに作用する荷重（静荷重）、並びに、内容物８が斜面を滑り落ちた時の衝撃荷重（動荷重）である。また耐荷重Ｂは、バルクライナー１と敷材２の摩擦力、敷材２（従来は段ボール等）とコンテナ１の床面の摩擦力、並びに、バルクライナー１自身の引張強度である。そして本発明者らの知見によれば、引下げ荷重Ａと比較して耐荷重Ｂが小さい場合にバルクライナー１の破損が発生してしまう傾向にある。
【００２２】
例えば、内容物８の安息角が大きい場合、内容物８の残存量が多い場合、コンテナ７の傾斜角度が大きい場合、内容物８及びバルクライナー１が滑り難い場合に、引下げ荷重Ａが大きくなる傾向にある。また、内容物８の残存量が多い場合、バルクライナー１と敷材２の摩擦力及び敷材２とコンテナ１の床面の摩擦力が大きい場合に、耐荷重Ｂが大きくなる傾向にある。したがって、バルクライナー１と敷材２の摩擦力及び敷材２とコンテナ１の床面の摩擦力を大きくすることによって耐荷重Ｂを大きくし、これによりバルクライナー１の破損を抑制できるのである。
【００２３】
本発明において、バルクライナー１と敷材２の静摩擦係数、並びに、敷材２とコンテナ７の床面の静摩擦係数は０．４０以上であり、好ましくは０.４３以上、１以下である。このように各摩擦係数を特定値以上にすることにより、バルクライナー１の破損を顕著に抑制できる。この静摩擦係数は、ＪＩＳ  Ｐ８１４７−１９９４「紙及び板紙の摩擦係数試験方法」の傾斜法に準拠して測定した値である。具体的な測定条件は、後述する実施例に記載のとおりである。
【００２４】
バルクライナー１と敷材２の静摩擦係数、並びに、敷材２とコンテナ７の床面の静摩擦係数を、本発明の範囲内にする手法は特に限定されず、例えばバルクライナー１を構成するフィルムの材料組成や敷材２の種類を適宜選定して使用することによって各静摩擦係数を比較的大きくできる。特に、バルクライナー１を構成するフィルムとして滑り性を高くする添加剤（スリップ剤及びアンチブロッキング剤等）を含まないフィルム（好ましくはポリエチレンフィルム）を使用することは、静摩擦係数を比較的大きくする上で好ましい手法である。また、敷材２として従来の段ボールではなく、同様に、滑り性を高くする添加剤（スリップ剤及びアンチブロッキング剤等）を含まないフィルム（好ましくはポリエチレンフィルム）を使用することもまた好ましい手法である。ただし、本発明はこれら手法に限定されるものではなく、あくまでも各静摩擦係数を本発明の範囲内にする手法であれば、どのような手法を用いても良い。
【００２５】
＜バルクライナー１＞
本発明に用いるバルクライナー１は、代表的には、樹脂フィルムにより構成される内袋である。樹脂フィルムの種類は特に限定されず、例えば、ポリオレフィンフィルム、ポリオレフィン−ポリエステル溶着フィルムを使用できる。中でも、ポリオレフィンフィルムが好ましい。ポリオレフィンフィルムの具体例としては、ポリエチレンフィルム、ポリプロピレンフィルムが挙げられるが、特にポリエチレンフィルムが好ましい。バルクライナー１を構成するフィルムは、滑り性を高くする添加剤（スリップ剤及びアンチブロッキング剤等）を含まないことが好ましい。
【００２６】
バルクライナー１は、例えば、以上説明した所望の樹脂をインフレーション成形することにより得られる。ただし本発明において、バルクライナー１の製造方法はインフレーション成形法に限定されるものではない。
【００２７】
＜敷材２＞
本発明に用いる敷材２は、バルクライナー１とコンテナ７の床面の間に敷設される部材である。敷材２の種類は特に限定されず、例えば、樹脂フィルム又はシート、段ボール、ゴムシートを使用できる。中でも樹脂フィルム又はシートが好ましく、特に、ポリエチレンフィルム、エチレン−酢酸ビニル共重合体フィルム、ポリプロピレン織シートが好ましく、ポリエチレンフィルムが最も好ましい。また、敷材２として樹脂フィルム又はシートを用いる場合は、バルクライナー１と同様に、その樹脂フィルム又はシートは滑り性を高くする添加剤（スリップ剤及びアンチブロッキング剤等）を含まないことが好ましい。
【００２８】
＜内容物８＞
本発明において内容物８とは、バルクライナー１に内包される物質であり、例えば、高純度テレフタル酸（ＰＴＡ）、ビスフェノールＡ等の化学物質、アルミナ、ポリエチレン、ポリプロピレン、ポリエチレンテレフタレート等の合成樹脂、小麦粉、砂糖、穀物等の食品類に代表される粉体又はペレットである。従来は粉体及びペレットの何れの場合においても、バルクライナー１の破損の恐れがあったが、特にＰＴＡ等の粉体の場合においてその可能性が大きいと考えられる。これは、ペレットよりも粉体の方が安息角が大きく、図２で説明した引下げ荷重Ａが大きくなる傾向にあるからである。したがって本発明は、特に内容物８が粉体である場合において非常に有効であるとも言える。
【００２９】
以上説明した本発明のコンテナ輸送方法は、輸送を目的としないコンテナ、例えば保管のみを目的としたコンテナにおいても応用可能である。例えば、本発明の排出方法は、コンテナを傾斜させることによりバルクライナーの排出口から内容物を排出する方法であり、この場合は輸送を目的とすることを必ずしも必要としない。また、本発明のコンテナユニットは、以上説明したバルクライナーと敷材とを内部に収納するコンテナユニット自体であり、この場合も輸送を目的とすることを必ずしも必要としない。
【実施例】
【００３０】
以下、実施例により本発明をさらに説明する。
【００３１】
（静摩擦係数）
実施例及び比較例における静摩擦係数は、ＪＩＳ  Ｐ８１４７−１９９４「紙及び板紙の摩擦係数試験方法」の傾斜法に準拠して測定した。具体的には、測定器床面と１ｋｇの錘側に測定対象材料（フィルム等）を貼り付けて傾斜させていき、滑り始めの角度（θ）を計測した。そしてｔａｎθで計算される値を静摩擦係数とした。
【００３２】
＜実施例１＞
滑り性を高くする添加剤を含まないポリエチレン製バルクライナーに、２１.５トンの高純度テレフタル酸（ＰＴＡ）を充填した。そしてバルクライナーとコンテナ床面との間に、敷材として滑り性を高くする添加剤を含まないポリエチレンシートを敷き、コンテナに収納した。このコンテナ床面とポリエチレンシートの静摩擦係数は０.４４であり、バルクライナーとポリエチレンシートの静摩擦係数は０.４４以上であった。そして、コンテナを４５度まで徐々に傾けてバルクライナー内のＰＴＡを排出した。この排出操作を何度も繰り返したが、バルクライナーの破損は発生しなかった。
【００３３】
＜比較例１＞
滑り性を高くする添加剤を含むポリエチレン製バルクライナーに、２１.５トンの高純度テレフタル酸（ＰＴＡ）を充填した。そしてバルクライナーとコンテナ床面との間に、敷材として滑り性を高くする添加剤を含まないポリエチレンシートを敷き、コンテナに収納した。このバルクライナーとポリエチレンシートの静摩擦係数は０.３３であった。そして、コンテナを４５度まで徐々に傾けてバルクライナー内のＰＴＡを排出する操作を繰り返したところ、バルクライナーが破損し、正常な排出ができなかった。
【産業上の利用可能性】
【００３４】
本発明のコンテナ輸送方法は、コンテナを傾斜させて内容物を排出する際にバルクライナーの破損が発生しにくいので、例えば化学物質、合成樹脂、食品類等の粉末状又はペレット状の物質のコンテナ輸送において有用である。
【符号の説明】
【００３５】
１  バルクライナー
２  敷材
３  注入口
４  排出口
５  排気口
６  補強布
７  コンテナ
８  内容物
Ａ  引下げ荷重
Ｂ  耐荷重
【図１】
2019043635.tif 000003
【図２】
2019043635.tif 000004